(57)【要約】【課題】ディクテーションテストの行われた文中の単語について効果的に学習する。【解決手段】電子辞書1は、複数の単語からなる文を含むテキストを表示する制御を行うＣＰＵと、表示された何れかの文を指定文として指定するとともに指定文内で１つ以上の単語を再学習対象単語として指定する入力部３０とを備える。ＣＰＵ２０は、指定文を音声出力する制御を行い、再学習対象単語と、指定文とを対応付けて登録する。ＣＰＵ２０は、登録された何れかの文を、再学習対象単語を潜像化して表示する制御を行った状態で、ユーザ操作に基づき当該文における再学習対象単語を音声出力する制御を行う。【選択図】図８
2015060074.tif 000002
【特許請求の範囲】
【請求項１】
複数の単語からなる文を含むテキストを表示する制御を行うテキスト表示制御手段と、
前記テキスト表示制御手段により表示された何れかの文を指定文として指定する文指定手段と、
前記文指定手段により指定された指定文を音声出力する制御を行う音声出力制御手段と、
前記指定文内で１つ以上の単語を再学習対象単語として指定する再学習単語指定手段と、
前記再学習対象単語と、前記指定文とを対応付けて登録する文単語登録手段と、
前記文単語登録手段により登録された何れかの文を、前記再学習対象単語を潜像化して表示する制御を行う再学習対象単語隠し表示制御手段と、
前記再学習対象単語隠し表示制御手段により文が表示された状態で、当該文における前記再学習対象単語を音声出力する制御を行う音声再出力制御手段と、
を備えることを特徴とする音声学習支援装置。
【請求項２】
請求項１に記載の音声学習支援装置において、
前記音声再出力制御手段は、前記再学習対象単語隠し表示制御手段により文が表示された状態で、前記再学習対象単語を含む当該文を音声出力する制御を行う文音声再出力制御手段を有する音声学習支援装置。
【請求項３】
請求項１または２記載の音声学習支援装置において、
ユーザから文字列の入力操作を受ける文字列入力手段と、
前記音声出力制御手段により音声出力された前記指定文中の各単語と、前記文字列入力手段により入力された文字列中の各単語とを比較して単語ごとに正誤を判定する正誤判定手段と、
を備え、
前記再学習単語指定手段は、
前記指定文中の各単語のうち、前記正誤判定手段により誤りと判定された単語を、前記再学習対象単語として指定することを特徴とする音声学習支援装置。
【請求項４】
請求項３記載の音声学習支援装置において、
前記正誤判定手段により誤りと判定された単語ごとに、当該単語の誤り度合いを段階的に評価する誤り度合い評価手段を備え、
前記文単語登録手段は、
各再学習対象単語に対応付けて、当該再学習対象単語についての誤り度合いを登録することを特徴とする音声学習支援装置。
【請求項５】
請求項４記載の音声学習支援装置において、
最小段階よりも大きい段階の誤り度合いに対応付けられた前記再学習対象単語と、この再学習対象単語について前記文字列入力手段により入力された文字列とを比較することで、当該再学習対象単語についてのテストの正誤を判定する単語正誤判定手段と、
前記単語正誤判定手段により正解と判定された再学習対象単語に対して前記文単語登録手段により対応付けて登録された誤り度合いを一段階小さく変更する誤り度合い変更手段と、
を備えることを特徴とする音声学習支援装置。
【請求項６】
記憶手段を有するコンピュータに、
複数の単語からなる文を含むテキストを表示する制御を行うテキスト表示制御機能と、
前記テキスト表示制御機能により表示された何れかの文を指定文として指定する文指定機能と、
前記文指定機能により指定された指定文を音声出力する制御を行う音声出力制御機能と、
前記指定文内で１つ以上の単語を再学習対象単語として指定する再学習単語指定機能と、
前記再学習対象単語と、前記指定文とを対応付けて前記記憶手段に登録する文単語登録機能と、
前記文単語登録機能により登録された何れかの文を、前記再学習対象単語を潜像化して表示する制御を行う再学習対象単語隠し表示制御機能と、
前記再学習対象単語隠し表示制御機能により文が表示された状態で、当該文における前記再学習対象単語を音声出力する制御を行う音声再出力制御機能と、
を実現させることを特徴とする音声学習支援プログラム。
【発明の詳細な説明】
【技術分野】
【０００１】
本発明は、音声学習支援装置及び音声学習支援プログラムに関する。
【背景技術】
【０００２】
従来から、音声出力によってユーザの学習を支援する音声学習支援装置には、ディクテーション機能が具備されている（例えば特許文献１参照）。
【０００３】
具体的には、この音声学習支援装置では、単語や文章が音声出力された後、その内容をユーザが入力すると、入力内容が「正解」、「許容による正解」、「スペルミス」、「聞き取り抜け」、「聞き取り余分」などとして評価され、評価結果に応じて異なる色で表示されるようになっている。また、この音声学習支援装置では、複数の単語のディクテーションテストを行った後、単語毎の評価結果で重み付けをしてテストの点数を算出することができるようになっている。
【先行技術文献】
【特許文献】
【０００４】
【特許文献１】特開２００９−１５１３０号公報
【発明の概要】
【発明が解決しようとする課題】
【０００５】
しかしながら、特許文献１に記載の音声学習支援装置では、ディクテーションテストの行われた文中の単語について効果的に学習することはできない。
【０００６】
本発明の課題は、ディクテーションテストの行われた文中の単語について効果的に学習することのできる音声学習支援装置及び音声学習支援プログラムを提供することである。
【課題を解決するための手段】
【０００７】
以上の課題を解決するため、本発明は、音声学習支援装置において、
複数の単語からなる文を含むテキストを表示する制御を行うテキスト表示制御手段と、
前記テキスト表示制御手段により表示された何れかの文を指定文として指定する文指定手段と、
前記文指定手段により指定された指定文を音声出力する制御を行う音声出力制御手段と、
前記指定文内で１つ以上の単語を再学習対象単語として指定する再学習単語指定手段と、
前記再学習対象単語と、前記指定文とを対応付けて登録する文単語登録手段と、
前記文単語登録手段により登録された何れかの文を、前記再学習対象単語を潜像化して表示する制御を行う再学習対象単語隠し表示制御手段と、
前記再学習対象単語隠し表示制御手段により文が表示された状態で、当該文における前記再学習対象単語を音声出力する制御を行う音声再出力制御手段と、
を備えることを特徴とする。
【発明の効果】
【０００８】
本発明によれば、ディクテーションテストの行われた文中の単語について効果的に学習することができる。
【図面の簡単な説明】
【０００９】
【図１】（ａ）は電子辞書の概観を示す平面図であり、（ｂ）はタブレットパソコンの概観を示す平面図である。
【図２】電子辞書の内部構成を示すブロック図である。
【図３】音声学習支援処理を示すフローチャートである。
【図４】音声学習支援処理を示すフローチャートである。
【図５】音声学習支援処理を示すフローチャートである。
【図６】音声学習支援処理を示すフローチャートである。
【図７】誤り種別特定処理を示すフローチャートである。
【図８】表示部の表示内容などを示す図である。
【図９】表示部の表示内容などを示す図である。
【図１０】表示部の表示内容などを示す図である。
【図１１】表示部の表示内容などを示す図である。
【図１２】表示部の表示内容などを示す図である。
【発明を実施するための形態】
【００１０】
以下、図面を参照して、本発明に係る音声学習支援装置を電子辞書に適用した場合の実施形態について詳細に説明する。
【００１１】
［外観構成］
図１（ａ）は、電子辞書１の平面図である。
この図に示すように、電子辞書１は、メインディスプレイ１０、サブディスプレイ１１、カードスロット１２、スピーカ１３及びキー群２を備えている。
【００１２】
メインディスプレイ１０及びサブディスプレイ１１は、ユーザによるキー群２の操作に応じた文字や符号等、各種データをカラーで表示する部分であり、ＬＣＤ（Liquid Crystal Display）やＥＬＤ（Electronic Luminescence Display）等によって構成されている。なお、本実施の形態におけるメインディスプレイ１０及びサブディスプレイ１１は、いわゆるタッチパネル１１０（図２参照）と一体的に形成されており、手書き入力等の操作を受け付け可能となっている。
【００１３】
カードスロット１２は、種々の情報を記憶した外部情報記憶媒体１２ａ（図２参照）と着脱可能に設けられている。
スピーカ１３は、ユーザによるキー群２の操作に応じた音声を出力する部分である。
【００１４】
キー群２は、ユーザから電子辞書１を操作するための操作を受ける各種キーを有している。具体的には、キー群２は、決定キー２ｂと、文字キー２ｃと、カーソルキー２ｅ等とを有している。
【００１５】
決定キー２ｂは、検索の実行や、見出し語の決定等に使用されるキーである。文字キー２ｃは、ユーザによる文字の入力等に使用されるキーであり、本実施の形態においては“Ａ”〜“Ｚ”キーを備えている。
【００１６】
カーソルキー２ｅは、画面内の反転表示位置、つまりカーソル位置の移動等に使用されるキーであり、本実施の形態においては上下左右の方向を指定可能となっている。
【００１７】
［内部構成］
続いて、電子辞書１の内部構造について説明する。図２は、電子辞書１の内部構成を示すブロック図である。
【００１８】
この図に示すように、電子辞書１は、表示部４０、入力部３０、音声出力部７０、記録媒体読取部６０、ＣＰＵ（Central Processing Unit）２０、記憶部８０を備え、各部はバスで相互にデータ通信可能に接続されて構成されている。
【００１９】
表示部４０は、上述のメインディスプレイ１０及びサブディスプレイ１１を備えており、ＣＰＵ２０から入力される表示信号に基づいて各種情報をメインディスプレイ１０やサブディスプレイ１１に表示するようになっている。
【００２０】
入力部３０は、上述のキー群２やタッチパネル１１０を備えており、押下されたキーやタッチパネル１１０の位置に対応する信号をＣＰＵ２０に出力するようになっている。
【００２１】
音声出力部７０は、上述のスピーカ１３を備えており、ＣＰＵ２０から入力される音声出力信号に基づいてスピーカ１３に音声出力を行わせるようになっている。
【００２２】
記録媒体読取部６０は、上述のカードスロット１２を備えており、当該カードスロット１２に装着された外部情報記憶媒体１２ａから情報を読み出したり、当該外部情報記憶媒体１２ａに情報を記録したりするようになっている。
【００２３】
ここで、外部情報記憶媒体１２ａには、辞書データベース８２や音声学習コンテンツ８３が格納されるようになっている。なお、これら辞書データベース８２や音声学習コンテンツ８３は後述の記憶部８０における辞書データベース８２や音声学習コンテンツ８３と同様のデータ構造を有しているため、ここでは説明を省略する。
【００２４】
記憶部８０は、電子辞書１の各種機能を実現するためのプログラムやデータを記憶するとともに、ＣＰＵ２０の作業領域として機能するメモリである。本実施の形態においては、記憶部８０は、本発明に係る音声学習支援プログラム８１と、辞書データベース８２と、音声学習コンテンツ８３と、タイピング学習帳テーブル８５と、暗記カード帳テーブル８６と、ディクテーション帳テーブル８７等とを記憶している。
【００２５】
音声学習支援プログラム８１は、後述の音声学習支援処理（図３〜図６参照）をＣＰＵ２０に実行させるためのプログラムである。
【００２６】
辞書データベース８２は、見出し語と、この見出し語の説明情報とを対応付けた見出し語情報を複数有している。なお、本実施の形態においては、このような辞書データベース８２として、英和辞書の辞書データベースが用いられている。
【００２７】
音声学習コンテンツ８３は、複数の単語からなる英文を複数含むテキスト（以下、学習テキスト８３０とする）と、少なくとも１つの英文についての、英文ごとの音声データ８３１とを有している。なお、本実施の形態においては、学習テキスト８３０における各英文のうち、音声データ８３１に対応する英文には、音声マークＭ１（図８参照）が付記されている。また、この学習テキスト８３０における各英文の各単語のうち、いわゆる基本単語には、その旨を示すタグが付加されている。
【００２８】
タイピング学習帳テーブル８５は、ユーザにより登録操作の行われた英単語を、スペルについての学習対象の単語として蓄積記憶するようになっている。また、このタイピング学習帳テーブル８５では、各単語に対応付けて、当該単語の訳の少なくとも一部と、当該単語についてのスペリングテストの正誤評価（本実施の形態においては「○」または「×」）とが記憶されるようになっている。
【００２９】
暗記カード帳テーブル８６は、ユーザにより登録操作の行われた学習対象の単語と、当該単語についての暗記カードデータ８６０とを対応付けて複数記憶するようになっている。ここで、各暗記カードデータ８６０は、カードの表面画像と、カードの裏面画像とを有している。また、カードの表面画像、裏面画像としては、ユーザによる手書き画像が用いられている。また、この暗記カード帳テーブル８６では、各暗記カードデータ８６０に対応付けて、当該暗記カードデータ８６０を用いたテストの正誤評価（本実施の形態においては「○」または「×」）が記憶されるようになっている。
【００３０】
ディクテーション帳テーブル８７は、音声学習コンテンツ８３における英文のうち、ユーザにより登録操作の行われた学習対象の英文と、当該英文についてのディクテーションテストでユーザが誤った単語（以下、誤り単語とする）とを対応付けて複数記憶するようになっている。また、このディクテーション帳テーブル８７では、英文のディクテーションテストにユーザが不正解であった場合に、その誤り方の種別（以下、誤り種別とする）が、当該英文や誤り単語に対応付けて記憶されるようになっている。ここで、本実施の形態においては、ディクテーションテストの誤り種別として、「（Ａ）単語の単純ミス」、「（Ｂ）単語の理解ミス」、「（Ｃ）英文の聞き取りミス」の３つが用いられている。
【００３１】
このうち、「（Ａ）単語の単純ミス」とは、いわゆる基本単語について誤った場合や、基本単語以外の単語について文字順を逆にしたり、一文字を別の文字にしたりすることで誤った場合のミスである。また、「（Ｂ）単語の理解ミス」とは、基本単語以外の単語についてのミスであって、「（Ａ）単語の単純ミス」とは異なるミスである。また、「（Ｃ）単語の聞き取りミス」とは、英文についてのミスであって、出題英文よりも単語数が増減した場合や、連続する複数の単語で誤った場合のミスである。
【００３２】
ＣＰＵ２０は、入力される指示に応じて所定のプログラムに基づいた処理を実行し、各機能部への指示やデータの転送等を行い、電子辞書１を統括的に制御するようになっている。具体的には、ＣＰＵ２０は、入力部３０から入力される操作信号等に応じて記憶部８０に格納された各種プログラムを読み出し、当該プログラムに従って処理を実行する。そして、ＣＰＵ２０は、処理結果を記憶部８０に保存するとともに、当該処理結果を音声出力部７０や表示部４０に適宜出力させる。
【００３３】
［動作］
続いて、電子辞書１の動作について、図面を参照しつつ説明する。
【００３４】
（音声学習支援処理）
図３〜図６は、ＣＰＵ２０が音声学習支援プログラム８１を読み出して実行する音声学習支援処理の流れを示すフローチャートである。
【００３５】
図３に示すように、この音声学習支援処理においては、まずＣＰＵ２０は、記憶部８０における何れかの音声学習コンテンツ８３が使用対象として選択されるか否かを判定する（ステップＳ１）。
【００３６】
このステップＳ１において音声学習コンテンツ８３が使用対象として選択されたと判定した場合（ステップＳ１；Ｙｅｓ）には、ＣＰＵ２０は、ユーザ操作に応じ、音声マークＭ１の付された英文を含む学習テキスト８３０をメインディスプレイ１０に表示させる（ステップＳ３）。これにより、例えば図８（ａ）に示すような内容がメインディスプレイ１０に表示される。
【００３７】
次に、ＣＰＵ２０は、ユーザ操作に基づいて、リスニングやリピーティング（復唱）の繰返し回数を１〜５回の何れかに設定する（ステップＳ５）。
【００３８】
次に、ＣＰＵ２０は、ユーザ操作に基づいて、音声マークＭ１の付記されている何れかの英文を指定英文として指定する（ステップＳ７）。
【００３９】
次に、ＣＰＵ２０は、リスニング学習モードに移行して（ステップＳ９）、指定英文の音声データ８３１を１回だけ音声出力し、ユーザにリスニング学習を行わせる（ステップＳ１１）。これにより、例えば図８（ｂ）に示すように、英文「Can you carry baggage?」が指定英文にされた場合には、この指定英文が音声出力される。
【００４０】
次に、ＣＰＵ２０は、ステップＳ５で設定された繰返し回数だけ指定英文が音声出力されたか否かを判定し（ステップＳ１３）、されていないと判定した場合（ステップＳ１３；Ｎｏ）には上述のステップＳ１１に移行する。
【００４１】
また、ステップＳ１３において繰返し回数だけ指定英文が音声出力されたと判定した場合（ステップＳ１３；Ｙｅｓ）には、ＣＰＵ２０は、リピーティング学習モードに移行して（ステップＳ１５）、指定英文の音声データ８３１を１回だけ音声出力するとともに、ユーザによるリピーティング（復唱）のために所定時間だけ待機する（ステップＳ１７）。これにより、例えば図８（ｃ）に示すように、英文「Can you carry baggage?」が指定英文にされた場合には、この指定英文が音声出力される。
【００４２】
次に、ＣＰＵ２０は、ステップＳ５で設定された繰返し回数だけ指定英文が音声出力されたか否かを判定し（ステップＳ１９）、されていないと判定した場合（ステップＳ１９；Ｎｏ）には上述のステップＳ１７に移行する。
【００４３】
また、ステップＳ１９において繰返し回数だけ指定英文が音声出力されたと判定した場合（ステップＳ１９；Ｙｅｓ）には、ＣＰＵ２０は、ディクテーション学習モードに移行する（ステップＳ２１）。
【００４４】
次に、ＣＰＵ２０は、音声マークＭ１の付記されている各英文、つまり音声データ８３１に対応する各英文を隠し表示させて、学習テキスト８３０の表示を更新し（ステップＳ２３）、指定英文の音声データ８３１を音声出力させる（ステップＳ２５）。これにより、例えば図８（ｄ）に示すような内容がメインディスプレイ１０に表示され、英文「Can you carry baggage?」が指定英文にされた場合には、この指定英文が音声出力される。なお、ステップＳ２３においてユーザは学習テキスト８３０内で他の英文を指定英文に指定し直してもよい。
【００４５】
次に、ＣＰＵ２０は、メインディスプレイ１０に解答欄Ｗ１を表示させ、ディクテーションテストの解答の英文（以下、解答英文とする）の入力を受ける（ステップＳ２７）。これにより、例えば図９（ａ），図９（ｂ）に示すような内容がメインディスプレイ１０に表示される。なお、図９（ｂ）では、指定英文「Can you carry baggage?」に対して解答英文「Can you cary bags」が入力された状態が図示されている。
【００４６】
次に、ＣＰＵ２０は、指定英文と解答英文とを比較することで、ディクテーションテストの正誤を単語ごとに評価（判定）し（ステップＳ２９）、ユーザの誤り方（誤り種別）を特定するための誤り種別特定処理を行う（ステップＳ３１）。
【００４７】
具体的には、図７に示すように、この誤り種別分類処理においてまずＣＰＵ２０は、解答英文の全体の内容が正しいか否かを判定し（ステップＴ１）、正しいと判定した場合（ステップＴ１；Ｙｅｓ）には、誤り種別判定処理を終了する。
【００４８】
また、ステップＴ１において解答英文の全体の内容が正しくはないと判定した場合（ステップＴ１；Ｎｏ）には、ＣＰＵ２０は、指定英文と比較して解答英文の単語数が少なくなっているか否かを判定する（ステップＴ３）。
【００４９】
このステップＴ３において指定英文と比較して解答英文の単語数が少なくなっていると判定した場合（ステップＴ３；Ｙｅｓ）には、ＣＰＵ２０は、指定英文内の基本単語が解答英文で抜けているか否かを判定する（ステップＴ５）。
【００５０】
このステップＴ５において指定英文内の基本単語が解答英文で抜けていないと判定した場合（ステップＴ５；Ｎｏ）には、ＣＰＵ２０は、後述のステップＴ２１に移行する。
【００５１】
また、ステップＴ５において指定英文内の基本単語が解答英文で抜けていると判定した場合（ステップＴ５；Ｙｅｓ）には、ＣＰＵ２０は、ユーザの誤り種別を「（Ｃ）英文の聞き取りミス」であると特定し、この誤り種別を記憶部８０に一時記憶させ（ステップＴ７）、後述のステップＴ２１に移行する。
【００５２】
また、上述のステップＴ３において指定英文と比較して解答英文の単語数が少なくなっていないと判定した場合（ステップＴ３；Ｎｏ）には、ＣＰＵ２０は、単語数が多くなっているか否かを判定する（ステップＴ１１）。
【００５３】
このステップＴ１１において単語数が多くなっていると判定した場合（ステップＴ１１；Ｙｅｓ）には、ＣＰＵ２０は、上述のステップＴ７に移行する。
【００５４】
また、ステップＴ１１において単語数が多くなっていないと判定した場合、つまり、指定英文と解答英文とで単語数に変化がない場合（ステップＴ１１；Ｙｅｓ）には、ＣＰＵ２０は、複数の単語で誤りがあるか否かを判定する（ステップＴ１３）。
【００５５】
このステップＴ１３において１つのみの単語で誤りがあると判定した場合（ステップＴ１３；Ｎｏ）には、ＣＰＵ２０は、後述のステップＴ２１に移行する。
【００５６】
また、ステップＴ１３において複数の単語で誤りがあると判定した場合（ステップＴ１３；Ｙｅｓ）には、ＣＰＵ２０は、連続する複数の単語に誤りがあるか否かを判定する（ステップＴ１５）。
【００５７】
このステップＴ１５において、連続する複数の単語に誤りがあると判定した場合（ステップＴ１５；Ｙｅｓ）には、ＣＰＵ２０は上述のステップＴ７に移行する。
【００５８】
一方、ステップＴ１５において、連続する複数の単語に誤りがないと判定した場合（ステップＴ１５；Ｎｏ）には、ＣＰＵ２０は、解答英文内の各誤り単語のうち、先頭の誤り単語を指定誤り単語として指定する（ステップＴ２１）。
【００５９】
次に、ＣＰＵ２０は、指定誤り単語が基本単語であるか否かを判定し（ステップＴ２３）、基本単語であると判定した場合（ステップＴ２３；Ｙｅｓ）には、ユーザの誤り種別を「（Ａ）単語の単純ミス」であると特定し、この誤り種別と、指定誤り単語に対応する正解単語（指定英文に含まれる単語のうち、指定誤り単語に対応する単語）とを対応付けて記憶部８０に一時記憶させる（ステップＴ２５）。これにより、例えば上述の図９（ｂ）に示したような解答英文「Can you cary bags」が入力された場合には、誤り単語「cary」に対応する正解単語「carry」と、誤り種別「（Ａ）単語の単純ミス」とが対応付けられて一時記憶される。
【００６０】
次に、ＣＰＵ２０は、解答英文に次の誤り単語があるか否かを判定し（ステップＴ２７）、ないと判定した場合（ステップＴ２７；Ｎｏ）には誤り種別特定処理を終了する。
【００６１】
一方、ステップＴ２７において解答英文に次の誤り単語があると判定した場合（ステップＴ２７；Ｙｅｓ）には、ＣＰＵ２０は、次の誤り単語を指定誤り単語として指定した後（ステップＴ２９）、上述のステップＴ２３に移行する。
【００６２】
また、上述のステップＴ２３において指定誤り単語が基本単語でないと判定した場合（ステップＴ２３；Ｎｏ）には、ＣＰＵ２０は、誤り単語内に文字順が逆になっている箇所と、一文字の誤記との何れかが含まれるか否かを判定する（ステップＴ３１）。
【００６３】
このステップＴ３１において誤り単語内に文字順が逆になっている箇所と、一文字の誤記との何れかが含まれると判定した場合（ステップＴ３１；Ｙｅｓ）には、ＣＰＵ２０は、上述のステップＴ２５に移行する。
【００６４】
一方、ステップＴ３１において誤り単語内に文字順が逆になっている箇所と、一文字の誤記との何れも含まれないと判定した場合（ステップＴ３１；Ｎｏ）には、ＣＰＵ２０は、ユーザの誤り種別を「（Ｂ）単語の理解ミス」であると特定し、この誤り種別と、指定誤り単語に対応する正解単語とを対応付けて記憶部８０に一時記憶させた後（ステップＴ３５）、上述のステップＴ２７に移行する。これにより、例えば上述の図９（ｂ）に示したような解答英文「Can you cary bags」が入力された場合には、誤り単語「bags」に対応する正解単語「baggage」と、誤り種別「（Ｂ）単語の理解ミス」とが対応付けられて一時記憶される。以上のステップＳ２５，Ｓ３５により、誤り単語ごとに、当該単語の誤り度合いが段階的（ここでは２段階）に評価される。
【００６５】
以上の誤り種別特定処理が終了したら、図３に示すように、次にＣＰＵ２０は、解答英文の正誤評価（本実施の形態では「○」または「×」）をサブディスプレイ１１に表示させる（ステップＳ３３）。また、このときＣＰＵ２０は、学習テキスト８３０内で隠し表示されている指定英文の位置に解答英文を表示させ、当該解答英文内の各単語のうち、誤り種別「（Ａ）単語の単純ミス」に対応付けられた誤り単語を緑色で、誤り種別「（Ｂ）単語の理解ミス」に対応付けられた誤り単語を黄色で、それぞれマーカ表示させる。これにより、例えば、英文「Can you carry baggage?」が指定英文として指定されており、図９（ｂ）に示したような内容が解答英文として入力された場合には、図９（ｃ）に示すような内容がメインディスプレイ１０に表示される。なお、図中の誤り単語「cary」は緑色で、誤り単語「bags」は黄色でマーカ表示されている。
【００６６】
次に、図４に示すように、マーカ表示された何れかの誤り単語に対してユーザが指定操作を行うと（ステップＳ３５）、ＣＰＵ２０は、指定された誤り単語（以下、指定誤り単語とする）を書き直す旨のユーザ操作が行われるか否かを判定する（ステップＳ３７）。
【００６７】
このステップＳ３７において指定誤り単語を書き直す旨のユーザ操作が行われないと判定した場合（ステップＳ３７；Ｎｏ）には、ＣＰＵ２０は、後述のステップＳ４９に移行する。
【００６８】
また、ステップＳ３７において指定誤り単語を書き直す旨のユーザ操作が行われたと判定した場合（ステップＳ３７；Ｙｅｓ）には、ＣＰＵ２０は、メインディスプレイ１０に解答欄Ｗ１を表示させ、指定誤り単語を書き直した解答の単語（以下、解答単語とする）の入力を受ける（ステップＳ３９）。これにより、例えば図９（ｃ）に示すような内容がメインディスプレイ１０に表示される。
【００６９】
次に、ＣＰＵ２０は、指定誤り単語に対応する正解単語と解答単語とを比較することで、解答単語の正誤を評価した後（ステップＳ４１）、解答単語が正解であるか否かを判定し（ステップＳ４３）、正解でないと判定した場合（ステップＳ４３；Ｎｏ）には後述のステップＳ４９に移行する。
【００７０】
また、ステップＳ４３において解答単語が正解であると判定した場合（ステップＳ４３；Ｙｅｓ）には、ＣＰＵ２０は、ディクテーション帳テーブル８７を参照し、指定誤り単語の誤り種別が「（Ｂ）単語の理解ミス」、つまり２番目に低い段階の誤り種別であったか否かを判定する（ステップＳ４５）。
【００７１】
このステップＳ４５において指定誤り単語の誤り種別が「（Ｂ）単語の理解ミス」でなかったと判定した場合（ステップＳ４５；Ｎｏ）には、ＣＰＵ２０は、後述のステップＳ４９に移行する。
【００７２】
また、ステップＳ４５において指定誤り単語の誤り種別が「（Ｂ）単語の理解ミス」であったと判定した場合（ステップＳ４５；Ｙｅｓ）には、ＣＰＵ２０は、ディクテーション帳テーブル８７において指定誤り単語に対応付けられている誤り種別を「（Ｂ）単語の理解ミス」から「（Ａ）単語の単純ミス」に変更する（ステップＳ４７）。これにより、書き直しにより正解した単語に対応付けられた誤り種別が、一段階小さく変更される。
【００７３】
次に、ＣＰＵ２０は、ディクテーション帳テーブル８７を参照し、指定誤り単語の誤り種別が「（Ａ）単語の単純ミス」であるか否かを判定する（ステップＳ４９）。
【００７４】
このステップＳ４９において指定誤り単語の誤り種別が「（Ａ）単語の単純ミス」であると判定した場合（ステップＳ４９；Ｙｅｓ）には、ＣＰＵ２０は、指定誤り単語に対応する正解単語をタイピング学習帳テーブル８５に登録することを推奨するメッセージを、メインディスプレイ１０に表示させる（ステップＳ５１）。これにより、例えば図１０（ａ）に示すような内容がメインディスプレイ１０に表示される。
【００７５】
次に、ＣＰＵ２０は、指定誤り単語に対応する正解単語をタイピング学習帳テーブル８５に登録する旨のユーザ操作が行われるか否かを判定し（ステップＳ５３）、行われないと判定した場合（ステップＳ５３；Ｎｏ）には、後述のステップＳ５６に移行する。
【００７６】
また、ステップＳ５３において正解単語をタイピング学習帳テーブル８５に登録する旨のユーザ操作が行われたと判定した場合（ステップＳ５３；Ｙｅｓ）には、正解単語をタイピング学習帳テーブル８５に登録し（ステップＳ５５）、後述のステップＳ５６に移行する。また、このステップＳ５５においてＣＰＵ２０は、登録された単語に対応する見出し語の説明情報（ここでは見出し語の訳）を辞書データベース８２から読み出し、この訳の先頭部分を登録単語に対応付けてタイピング学習帳テーブル８５に記憶させる。
【００７７】
また、上述のステップＳ４９において指定誤り単語の誤り種別が「（Ａ）単語の単純ミス」でないと判定した場合（ステップＳ４９；Ｎｏ）には、ＣＰＵ２０は、指定誤り単語に対応する正解単語を暗記カード帳テーブル８６に登録することを推奨するメッセージを、メインディスプレイ１０に表示させる（ステップＳ５７）。これにより、例えば図１０（ｂ）に示すような内容がメインディスプレイ１０に表示される。
【００７８】
次に、ＣＰＵ２０は、正解単語を暗記カード帳テーブル８６に登録する旨のユーザ操作が行われるか否かを判定し（ステップＳ５９）、行われないと判定した場合（ステップＳ５９；Ｎｏ）には、後述のステップＳ５６に移行する。
【００７９】
また、ステップＳ５９において正解単語を暗記カード帳テーブル８６に登録する旨のユーザ操作が行われたと判定した場合（ステップＳ５９；Ｙｅｓ）には、正解単語を暗記カード帳テーブル８６に登録する（ステップＳ６１）。なお、このステップＳ６１の処理では、暗記カード帳テーブル８６に暗記カードデータ８６０が記憶されないため、正解単語は仮登録された状態となっている。
【００８０】
次に、ＣＰＵ２０は、解答英文における全ての誤り単語が指定誤り単語として指定されたか否かを判定し（ステップＳ５６）、指定されていないと判定した場合（ステップＳ５６；Ｎｏ）には、上述のステップＳ３５に移行する。
【００８１】
また、ステップＳ５６において解答英文における全ての誤り単語が指定誤り単語として指定されたと判定した場合（ステップＳ５６；Ｙｅｓ）には、ＣＰＵ２０は、指定英文をディクテーション帳テーブル８７に登録することを推奨するメッセージを、メインディスプレイ１０に表示させる（ステップＳ６５）。これにより、例えば図１０（ｃ）に示すような内容がメインディスプレイ１０に表示される。
【００８２】
次に、ＣＰＵ２０は、指定英文をディクテーション帳テーブル８７に登録する旨のユーザ操作が行われるか否かを判定し（ステップＳ６７）、行われないと判定した場合（ステップＳ６７；Ｎｏ）には、後述のステップＳ７０に移行する。
【００８３】
また、ステップＳ６７において指定英文をディクテーション帳テーブル８７に登録する旨のユーザ操作が行われたと判定した場合（ステップＳ６７；Ｙｅｓ）には、ＣＰＵ２０は、指定英文をディクテーション帳テーブル８７に登録する（ステップＳ６９）。また、このときＣＰＵ２０は、指定英文内の各単語のうち、誤り単語に対応する単語を再学習対象単語として指定し、この再学習対象単語と、上述の誤り種別判定処理によって当該再学習対象単語について特定された誤り種別とを指定英文に対応付けてディクテーション帳テーブル８７に記憶させる。また、誤り種別判定処理によって指定英文の誤り種別が「（Ｃ）英文の聞き取りミス」として特定されている場合には、このステップＳ６９においてＣＰＵ２０は、当該誤り種別を指定英文に対応付けてディクテーション帳テーブル８７に記憶させる。
【００８４】
次に、ＣＰＵ２０は、終了操作が行われるか否かを判定し（ステップＳ７０）、行われないと判定した場合（ステップＳ７０；Ｎｏ）には上述のステップＳ７（図３参照）に移行する一方、終了操作が行われたと判定した場合（ステップＳ７０；Ｙｅｓ）には音声学習支援処理を終了する。
【００８５】
また、図３，図５に示すように、上述のステップＳ１において音声学習コンテンツ８３が使用対象として選択されないと判定した場合（ステップＳ１；Ｎｏ）には、ＣＰＵ２０は、タイピング学習帳テーブル８５が使用対象として選択されるか否かを判定する（ステップＳ７１）。なお、このステップＳ７１と、後述のステップＳ９１，Ｓ１２１とが行われているときには、メインディスプレイ１０には、図１１（ａ）に示すような内容が表示される。
【００８６】
このステップＳ７１においてタイピング学習帳テーブル８５が使用対象として選択されたと判定した場合（ステップＳ７１；Ｙｅｓ）には、ＣＰＵ２０は、タイピング学習帳テーブル８５に記憶された先頭の単語を指定単語として指定する（ステップＳ７３）。
【００８７】
次に、ＣＰＵ２０は、タイピング学習帳テーブル８５から指定単語の訳の先頭部分を読み出してメインディスプレイ１０に表示させ（ステップＳ７５）、タイピング文字枠Ｗ２をメインディスプレイ１０に表示させる（ステップＳ７７）。これにより、例えば図１１（ｂ）に示すような内容がメインディスプレイ１０に表示される。なお、この図では、タイピング文字枠Ｗ２に対して既に文字列「CARR」が入力された状態を図示している。
【００８８】
次に、ユーザが指定単語の訳を見て、指定単語をタイピング入力すると（ステップＳ７９）、ＣＰＵ２０は、指定単語のスペルが時間内に正しく入力されたか否かを判定する（ステップＳ８１）。なお、ステップＳ７９においてユーザは指定単語を手書き入力しても良い。
【００８９】
このステップＳ８１において指定単語のスペルが時間内に正しく入力されたと判定した場合（ステップＳ８１；Ｙｅｓ）には、ＣＰＵ２０は、入力スペルの正誤評価として「○」をサブディスプレイ１１に表示させるとともに、この正誤評価の内容「○」を指定単語に対応付けてタイピング学習帳テーブル８５に記憶させ（ステップＳ８３）、後述のステップＳ８７に移行する。
【００９０】
また、ステップＳ８１において指定単語のスペルが時間内に正しく入力されなかったと判定した場合（ステップＳ８１；Ｎｏ）には、ＣＰＵ２０は、入力スペルの正誤評価として「×」をサブディスプレイ１１に表示させるとともに、この正誤評価の内容「×」を指定単語に対応付けてタイピング学習帳テーブル８５に記憶させる（ステップＳ８５）。
【００９１】
次に、ＣＰＵ２０は、タイピング学習帳テーブル８５に次の単語が存在するか否かを判定し（ステップＳ８７）、存在すると判定した場合（ステップＳ８７；Ｙｅｓ）には、次の単語を指定単語として指定した後（ステップＳ８８）、上述のステップＳ７５に移行する。
【００９２】
また、ステップＳ８７においてタイピング学習帳テーブル８５に次の単語が存在しないと判定した場合（ステップＳ８７；Ｎｏ）には、ＣＰＵ２０は、終了操作が行われるか否かを判定する（ステップＳ８９）。
【００９３】
そして、このステップＳ８９において終了操作が行われないと判定した場合（ステップＳ８９；Ｎｏ）には、ＣＰＵ２０は上述のステップＳ１（図３参照）に移行する一方、終了操作が行われたと判定した場合（ステップＳ８９；Ｙｅｓ）には音声学習支援処理を終了する。
【００９４】
また、上述のステップＳ７１においてタイピング学習帳テーブル８５が使用対象として選択されないと判定した場合（ステップＳ７１；Ｎｏ）には、ＣＰＵ２０は、暗記カード帳テーブル８６が使用対象として選択されるか否かを判定する（ステップＳ９１）。
【００９５】
このステップＳ９１において暗記カード帳テーブル８６が使用対象として選択されたと判定した場合（ステップＳ９１；Ｙｅｓ）には、ＣＰＵ２０は、暗記カード帳テーブル８６に仮登録された単語が存在するか否かを判定する（ステップＳ９３）。
【００９６】
このステップＳ９３において暗記カード帳テーブル８６に仮登録された単語が存在すると判定した場合（ステップＳ９３；Ｙｅｓ）には、ＣＰＵ２０は、当該単語に対応する見出し語の説明情報を辞書データベース８２から読み出してメインディスプレイ１０に表示させる（ステップＳ９５）。
【００９７】
次に、ＣＰＵ２０は、暗記カードにおける表面及び裏面の内容としてユーザから手書き入力された内容を対応付けて暗記カードデータ８６０とし、この暗記カードデータ８６０を仮登録の単語に対応付けて暗記カード帳テーブル８６に記憶させた後（ステップＳ９７）、上述のステップＳ９３に移行する。これにより、例えば図１１（ｃ）に示すような内容がメインディスプレイ１０に表示され、暗記カード帳テーブル８６に仮登録された単語は正式な登録状態となる。
【００９８】
また、上述のステップＳ９３において暗記カード帳テーブル８６に仮登録された単語が存在しないと判定した場合（ステップＳ９３；Ｙｅｓ）には、ＣＰＵ２０は、暗記カード帳テーブル８６に登録された最初の暗記カードデータ８６０を指定暗記カードデータ８６０Ｓとして指定する（ステップＳ９９）。
【００９９】
次に、ＣＰＵ２０が指定暗記カードデータ８６０Ｓにおける表面の内容をメインディスプレイ１０に表示させ（ステップＳ１０１）、ユーザが表面の内容を見て、暗記カードの裏面の内容を手書き入力する（ステップＳ１０３）。これにより、例えば図１２（ａ）に示すような内容がメインディスプレイ１０に表示される。
【０１００】
次に、ＣＰＵ２０は、裏面の内容が正しく入力されたか否かを判定する（ステップＳ１０５）。
このステップＳ１０５において裏面の内容が正しく入力されたと判定した場合（ステップＳ１０５；Ｙｅｓ）には、ＣＰＵ２０は、入力内容の正誤評価として「○」をサブディスプレイ１１に表示させるとともに、この正誤評価の内容「○」を指定暗記カードデータ８６０Ｓに対応付けて暗記カード帳テーブル８６に記憶させ（ステップＳ１０７）、後述のステップＳ１１１に移行する。
【０１０１】
また、ステップＳ１０５において裏面の内容が正しく入力されなかったと判定した場合（ステップＳ１０５；Ｎｏ）には、ＣＰＵ２０は、入力内容の正誤評価として「×」をサブディスプレイ１１に表示させるとともに、この正誤評価の内容「×」を指定暗記カードデータ８６０Ｓに対応付けて暗記カード帳テーブル８６に記憶させる（ステップＳ１０９）。
【０１０２】
次に、ＣＰＵ２０は、暗記カード帳テーブル８６に次の暗記カードデータ８６０が存在するか否かを判定し（ステップＳ１１１）、存在すると判定した場合（ステップＳ１１１；Ｙｅｓ）には、次の暗記カードデータ８６０を指定暗記カードデータ８６０Ｓとして指定した後（ステップＳ１１３）、上述のステップＳ１０１に移行する。
【０１０３】
また、ステップＳ１１１において暗記カード帳テーブル８６に次の暗記カードデータ８６０が存在しないと判定した場合（ステップＳ１１１；Ｎｏ）には、ＣＰＵ２０は、終了操作が行われるか否かを判定する（ステップＳ１１５）。
【０１０４】
そして、このステップＳ１１５において終了操作が行われないと判定した場合（ステップＳ１１５；Ｎｏ）には、ＣＰＵ２０は上述のステップＳ１（図３参照）に移行する一方、終了操作が行われたと判定した場合（ステップＳ１１５；Ｙｅｓ）には音声学習支援処理を終了する。
【０１０５】
また、上述のステップＳ９１において暗記カード帳テーブル８６が使用対象として選択されなかったと判定した場合（ステップＳ９１；Ｎｏ）には、図６に示すように、ＣＰＵ２０は、ディクテーション帳テーブル８７が使用対象として選択されたか否かを判定する（ステップＳ１２１）。
【０１０６】
このステップＳ１２１においてディクテーション帳テーブル８７が使用対象として選択されなかったと判定した場合（ステップＳ１２１；Ｎｏ）には、ＣＰＵ２０は、他の処理へ移行する。
【０１０７】
また、ステップＳ１２１においてディクテーション帳テーブル８７が使用対象として選択されたと判定した場合（ステップＳ１２１；Ｙｅｓ）には、ＣＰＵ２０は、ディクテーション帳テーブル８７に登録された英文を一覧表示させ（ステップＳ１２３）、各英文における再学習対象単語をそれぞれ隠し表示させる（ステップＳ１２５）。これにより、例えば図１２（ｂ）に示すような内容がメインディスプレイ１０に表示される。
【０１０８】
次に、ＣＰＵ２０は、ユーザ操作に基づいて何れかの英文を指定すると（ステップＳ１２７）、指定された英文の全体を音声出力させる旨のユーザ操作と、隠し単語（再学習対象単語）のみを音声出力させる旨のユーザ操作との何れの操作が行われるかを判定する（ステップＳ１２９）。
【０１０９】
このステップＳ１２９において指定された英文の全体を音声出力させる旨のユーザ操作が行われたと判定した場合（ステップＳ１２９；全文）には、ＣＰＵ２０は、上述のステップＳ２５（図３参照）に移行する。これにより、例えば図１２（ｃ）に示すような内容がメインディスプレイ１０に表示され、英文「Can you carry baggage?」が指定英文とされた場合には、この指定英文が音声出力される。
【０１１０】
また、ステップＳ１２９において指定された英文の隠し単語（再学習対象単語）のみを音声出力させる旨のユーザ操作が行われたと判定した場合（ステップＳ１２９；隠し単語）には、ＣＰＵ２０は、隠し単語を音声出力させて、当該隠し単語のスペルを問うテストをユーザに対して行う（ステップＳ１３１）。
【０１１１】
次に、ユーザが隠し単語のスペルの解答を入力すると（ステップＳ１３３）、ＣＰＵ２０は、解答の正誤を評価し（ステップＳ１３５）、上述のステップＳ１２３に移行する。
【０１１２】
以上の電子辞書１によれば、図３のステップＳ２５〜Ｓ３３、図４のステップＳ６９、図６のステップＳ１２３〜Ｓ１３１などに示したように、ユーザ操作により指定された指定英文が音声出力され、指定英文内で１つ以上の単語が再学習対象単語として指定されると、再学習対象単語と、指定英文とが対応付けて記憶された後、再学習対象単語を潜像化した状態で各指定英文が表示され、ユーザ操作に基づき当該英文と、当該英文内の再学習対象単語とがそれぞれを音声出力されるので、ディクテーションテストの行われた英文と、当該英文中の単語とについて、効果的に学習することができる。
【０１１３】
また、図３のステップＳ２９や図４のステップＳ６９などに示したように、音声出力された指定英文と、ユーザにより入力された文字列とが比較されることで、ユーザに対するディクテーションテストの正誤が単語ごとに判定され、指定英文内の各単語のうち、誤りと判定された単語に対応する単語が再学習対象単語として指定されるので、ディクテーションテストで誤った単語について、効果的に学習することができる。
【０１１４】
また、図４のステップＳ４７などに示したように、誤りと判定された単語ごとに、当該単語の誤り度合いが段階的に評価されて、各再学習対象単語に対応付けて、当該再学習対象単語についての誤り度合いがディクテーション帳テーブル８７に記憶され、最小段階「（Ａ）単語の単純ミス」よりも大きい段階「（Ｂ）単語の理解ミス」の誤り度合いに対応付けられた再学習対象単語と、この再学習対象単語についてユーザ入力された解答単語とを比較することで、当該再学習対象単語についてのテストの正誤が判定され、正解と判定された再学習対象単語に対して対応付けられた誤り度合いが一段階小さく「（Ａ）単語の単純ミス」に変更されるので、学習の進度に応じて、誤り度合いによる再学習対象単語の分類を更新することができる。従って、再学習対象単語について、いっそう効果的に学習することができる。
【０１１５】
なお、本発明を適用可能な実施形態は、上述した実施形態に限定されることなく、本発明の趣旨を逸脱しない範囲で適宜変更可能である。
【０１１６】
例えば、本発明に係る音声学習支援装置を電子辞書１として説明したが、本発明が適用可能なものは、このような製品に限定されず、例えば図１（ｂ）に示すようなタブレットパソコン１Ａの他、デスクトップパソコンやノートパソコン、携帯電話、ＰＤＡ（Ｐｅｒｓｏｎａｌ  Ｄｉｇｉｔａｌ  Ａｓｓｉｓｔａｎｔ）、ゲーム機などの電子機器全般に適用可能である。また、本発明に係る音声学習支援プログラム８１は、電子辞書１に対して着脱可能なメモリカード、ＣＤ等に記憶されることとしてもよい。
【０１１７】
以上、本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
複数の単語からなる文を含むテキストを表示する制御を行うテキスト表示制御手段と、
前記テキスト表示制御手段により表示された何れかの文を指定文として指定する文指定手段と、
前記文指定手段により指定された指定文を音声出力する制御を行う音声出力制御手段と、
前記指定文内で１つ以上の単語を再学習対象単語として指定する再学習単語指定手段と、
前記再学習対象単語と、前記指定文とを対応付けて登録する文単語登録手段と、
前記文単語登録手段により登録された何れかの文を、前記再学習対象単語を潜像化して表示する制御を行う再学習対象単語隠し表示制御手段と、
前記再学習対象単語隠し表示制御手段により文が表示された状態で、当該文における前記再学習対象単語を音声出力する制御を行う音声再出力制御手段と、
を備えることを特徴とする音声学習支援装置。
＜請求項２＞
請求項１に記載の音声学習支援装置において、
前記音声再出力制御手段は、前記再学習対象単語隠し表示制御手段により文が表示された状態で、前記再学習対象単語を含む当該文を音声出力する制御を行う文音声再出力制御手段を有する音声学習支援装置。
＜請求項３＞
請求項１または２記載の音声学習支援装置において、
ユーザから文字列の入力操作を受ける文字列入力手段と、
前記音声出力制御手段により音声出力された前記指定文中の各単語と、前記文字列入力手段により入力された文字列中の各単語とを比較して単語ごとに正誤を判定する正誤判定手段と、
を備え、
前記再学習単語指定手段は、
前記指定文中の各単語のうち、前記正誤判定手段により誤りと判定された単語を、前記再学習対象単語として指定することを特徴とする音声学習支援装置。
＜請求項４＞
請求項３記載の音声学習支援装置において、
前記正誤判定手段により誤りと判定された単語ごとに、当該単語の誤り度合いを段階的に評価する誤り度合い評価手段を備え、
前記文単語登録手段は、
各再学習対象単語に対応付けて、当該再学習対象単語についての誤り度合いを登録することを特徴とする音声学習支援装置。
＜請求項５＞
請求項４記載の音声学習支援装置において、
最小段階よりも大きい段階の誤り度合いに対応付けられた前記再学習対象単語と、この再学習対象単語について前記文字列入力手段により入力された文字列とを比較することで、当該再学習対象単語についてのテストの正誤を判定する単語正誤判定手段と、
前記単語正誤判定手段により正解と判定された再学習対象単語に対して前記文単語登録手段により対応付けて登録された誤り度合いを一段階小さく変更する誤り度合い変更手段と、
を備えることを特徴とする音声学習支援装置。
＜請求項６＞
記憶手段を有するコンピュータに、
複数の単語からなる文を含むテキストを表示する制御を行うテキスト表示制御機能と、
前記テキスト表示制御機能により表示された何れかの文を指定文として指定する文指定機能と、
前記文指定機能により指定された指定文を音声出力する制御を行う音声出力制御機能と、
前記指定文内で１つ以上の単語を再学習対象単語として指定する再学習単語指定機能と、
前記再学習対象単語と、前記指定文とを対応付けて前記記憶手段に登録する文単語登録機能と、
前記文単語登録機能により登録された何れかの文を、前記再学習対象単語を潜像化して表示する制御を行う再学習対象単語隠し表示制御機能と、
前記再学習対象単語隠し表示制御機能により文が表示された状態で、当該文における前記再学習対象単語を音声出力する制御を行う音声再出力制御機能と、
を実現させることを特徴とする音声学習支援プログラム。
【符号の説明】
【０１１８】
１      電子辞書
２０    ＣＰＵ
３０    入力部
４０    表示部
８１    音声学習支援プログラム
【図１】
2015060074.tif 000003
【図２】
2015060074.tif 000004
【図３】
2015060074.tif 000005
【図４】
2015060074.tif 000006
【図５】
2015060074.tif 000007
【図６】
2015060074.tif 000008
【図７】
2015060074.tif 000009
【図８】
2015060074.tif 000010
【図９】
2015060074.tif 000011
【図１０】
2015060074.tif 000012
【図１１】
2015060074.tif 000013
【図１２】
2015060074.tif 000014